(57)【特許請求の範囲】
【請求項１】
容器本体のカバー体と内容物放出操作用の押下げボタンとの間に配設されたモード選択環状部材の回動操作により、内容物放出操作阻止のロックモードおよび内容物放出操作可のロック解除・静止モードを選択する内容物放出操作ロック機構であって、
前記カバー体は、
その内周面からカバー体内側に延びて、ロックモード位置とロック解除・静止モード位置とへ選択的に設定される可動アーム状部を備え、
前記モード選択環状部材は、
前記回動操作に応じて前記カバー体の内部空間域を回動することにより、前記可動アーム状部を、前記ロックモード位置および前記ロック解除・静止モード位置の少なくとも一方へ移動させる駆動部を備え、
ことを特徴とする内容物放出操作ロック機構。
【請求項２】
前記駆動部は、
前記可動アーム状部を、前記ロック解除・静止モード位置から前記ロックモード位置へ移動させるロック駆動片部と、
前記可動アーム状部を、前記ロックモード位置から前記ロック解除・静止モード位置へ移動させるロック解除駆動片部と、からなる、
ことを特徴とする請求項１記載の内容物放出操作ロック機構。
【請求項３】
前記可動アーム状部は、
前記ロック解除・静止モード位置の方へ、または前記ロックモード位置の方へ移動するように初期付勢されている、
ことを特徴とする請求項１記載の内容物放出操作ロック機構。
【請求項４】
前記可動アーム状部は、
前記ロックモード位置のとき、前記押下げボタンの下端部分と対向して内容物放出操作を阻止する上面部分を備えている、
ことを特徴とする請求項１乃至３のいずれかに記載の内容物放出操作ロック機構。
【請求項５】
前記カバー体および前記モード選択環状部材は、
ともに円筒状部からなり、
その全体が、前記ロックモードと、前記ロック解除・静止モードとのそれぞれにおいて同一外観形状に設定される、
ことを特徴とする請求項１乃至４のいずれかに記載の内容物放出操作ロック機構。
【請求項６】
請求項１乃至５のいずれかに記載の内容物放出操作ロック機構を備え、かつ、前記容器本体に噴射用ガスおよび内容物を収容した、
ことを特徴とするエアゾール式製品。
【請求項７】
請求項１乃至５のいずれかに記載の内容物放出操作ロック機構を備え、かつ、前記容器本体に内容物を収容した、
ことを特徴とするポンプ式製品
【発明の詳細な説明】
【技術分野】
【０００１】
本発明は、エアゾール式製品やポンプ式製品のステム回りの水平面内などでおこなう回動操作により、内容物放出操作「阻止」のロックモードと、内容物放出操作「可」のロック解除・静止モードとが選択される内容物放出操作ロック機構に関する。
【０００２】
なお、ロック解除・静止モードの押下げボタンの下動操作により、エアゾール式製品およびポンプ式製品は周知の内容物放出状態の作動モードに移行する。
【０００３】
本明細書では、内容物放出孔部の側を「前」、それとはステム回りの１８０度反対側を「後」とそれぞれ記す。図１〜図３の左側が「前」で右側が「後」となる。また、水平面上の方向を「横」と記す。
【背景技術】
【０００４】
本件出願人は、内容物放出操作用の押下げボタンを前後方向へスライドさせることにより、内容物放出操作が阻止されるロックモードと、これが許容されるロック解除・静止モードとを選択する内容物放出操作ロック機構を提案済みである（特許文献１参照）。
【０００５】
ロックモードでは、押下げボタンをその保護部のワンタッチキャップ（カバー体）に係合保持することにより、利用者の内容物放出操作を阻止している。
【０００６】
そしてロックモードの押下げボタンを後方へスライドさせるといった簡単な操作により、ロックモードが解除されて、内容物放出操作可能なロック解除・静止モードへと移行する。
【先行技術文献】
【特許文献】
【０００７】
【特許文献１】特開２０１５−４８１３２号公報
【発明の概要】
【発明が解決しようとする課題】
【０００８】
このように提案済みの内容物放出操作ロック機構は、押下げボタンを、そのカバー体に対して単に前後方向にスライドさせることにより、ロックモードとロック解除・静止モードとが選択的に設定される、という利便性を備えたものである。
【０００９】
本発明は、この前後方向へのスライド操作ではなく、容器本体のカバー体と押下げボタンとの間に配設したモード選択環状部材の回動操作により、ロックモードおよびロック解除・静止モードを選択するといった新たな着想に基づくものである。
【００１０】
この回動操作を用いた内容物放出操作ロック機構は、放出操作ロックおよびその解除のための具体的構造の設定スペースとして、上記スライド操作におけるカバー体外方部分を含む直線状領域とは異なり、カバー体内部の円筒状領域のみを用いる。
【００１１】
すなわち、ロックモード／ロック解除・静止モードを選択するモード選択環状部材の、ロックモードとロック解除・静止モードとの選択に必要な移動ストロークを、カバー体内部のいわば周回方向長さにより確保している。
【００１２】
また、このモード選択環状部材の回動操作によっても、それと下側のカバー体との外観全体は略同じままである。すなわちロックモードおよびロック解除・静止モードの切換えにともなう「モード選択環状部材＋容器本体のカバー体」の外観形状変化は生じない。
【００１３】
本発明は、このような「カバー体の内部領域のみ」の使用や、「モード選択環状部材およびカバー体の全体外観形状」の変化なしといった構成により、
(11)特に小径のカバー体からなる小形タイプのエアゾール式製品およびポンプ式製品の内容物放出操作ロック機構について、もっぱらカバー体の内部領域での実用化を図る、
(12)「モード選択環状部材＋容器本体のカバー体」についてのロックモードおよびロック解除・静止モードにおける全体外観形状それぞれの同一性を維持し、内容物放出操作ロック機構を備えた製品の見た目の安定化を図る、
ことを目的とする。
【課題を解決するための手段】
【００１４】
本発明は、以上の課題を次のようにして解決する。
（１）容器本体(例えば後述の容器本体１)のカバー体(例えば後述のカバー体６)と内容物放出操作用の押下げボタン(例えば後述の押下げボタン５)との間に配設されたモード選択環状部材(例えば後述のモード選択環状部材７)の回動操作により、内容物放出操作阻止のロックモードおよび内容物放出操作可のロック解除・静止モードを選択する内容物放出操作ロック機構であって、
前記カバー体は、
その内周面からカバー体内側に延びて、ロックモード位置とロック解除・静止モード位置とへ選択的に設定される可動アーム状部(例えば後述の可動アーム状部６ｇ)を備え、
前記モード選択環状部材は、
前記回動操作に応じて前記カバー体の内部空間域を回動することにより、前記可動アーム状部を、前記ロックモード位置および前記ロック解除・静止モード位置の少なくとも一方へ移動させる駆動部(例えば後述のロック駆動片部７ｂまたはロック解除駆動片部７ｅ)を備えた、
構成態様のものを用いる。
（２）上記（１）において、
前記駆動部は、
前記可動アーム状部を、前記ロック解除・静止モード位置から前記ロックモード位置へ移動させるロック駆動片部(例えば後述のロック駆動片部７ｂ)と、
前記可動アーム状部を、前記ロックモード位置から前記ロック解除・静止モード位置へ移動させるロック解除駆動片部(例えば後述のロック解除駆動片部７ｅ)と、からなる、
構成態様のものを用いる。
（３）上記（１）において、
前記可動アーム状部は、
前記ロック解除・静止モード位置の方へ、または前記ロックモード位置の方へ移動するように初期付勢された、
構成態様のものを用いる。
（４）上記（１），（２），（３）において、
前記可動アーム状部は、
前記ロックモード位置のとき、前記押下げボタンの下端部分(例えば後述のボタン下端部分５ｄ)と対向して内容物放出操作を阻止する上面部分(例えば後述の内端側上面６ｍ)を備えた、
構成態様のものを用いる。
（５）上記（１），（２），（３），（４）において、
前記カバー体および前記モード選択環状部材は、
ともに円筒状部からなり、
その全体が、前記ロックモードと、前記ロック解除・静止モードとのそれぞれにおいて同一外観形状に設定される、
構成態様のものを用いる。
【００１５】
このような構成からなる内容物放出操作ロック機構、ならびにこの内容物放出操作ロック機構を備えたエアゾール式製品およびポンプ式製品を本発明の対象としている。
【００１６】
なお、上記（１）の「前記可動アーム状部を、前記ロックモード位置および前記ロック解除・静止モード位置の少なくとも一方へ移動させる駆動部」における「少なくとも一方へ」は、後述の(61)，(62)の場合をも本発明の対象とするための記載である。
【発明の効果】
【００１７】
本発明は、以上の構成をとることにより、
(21)小形タイプのエアゾール式製品およびポンプ式製品の内容物放出操作ロック機構について、カバー体の内部領域での実用化を図る、
(22)ロックモードおよびロック解除・静止モードにおける「容器本体のカバー体＋モード選択環状部材」の全体外観形状それぞれの同一性を維持し、内容物放出操作ロック機構としての見た目の安定化を図る、
ことができる。
【図面の簡単な説明】
【００１８】
【図１】下方への内容物放出操作を阻止する可動アーム状部の上面と、放出操作用押下げボタンの下端部分との対向状態を保持したロックモードの縦断面を示す説明図である。
【図２】図１のロックモードの（Ａ−Ａ′）横断面を示す説明図である。
【図３】図１，図２の可動アーム状部上面と押下げボタン下端部分の対向状態が、モード選択環状部材の図示時計方向への回動操作により解除されたロック解除・静止モードの横断面を示す説明図である。
【発明を実施するための形態】
【００１９】
図１乃至図３を用いて本発明を実施するための形態を説明する。
【００２０】
上述したように、本発明の内容物放出操作ロック機構はエアゾール式製品およびポンプ式製品の双方に適用できるが、以下の実施形態では単なる説明の便宜上、エアゾール式製品の場合を前提とする。
【００２１】
なお、以下のアルファベット付き参照番号の構成要素（例えば内容物通路５ａ）は原則として、当該参照番号の数字部分の構成要素（例えば押下げボタン５）の一部であることを示している。
【００２２】
図１〜図３において、
１は後述の圧縮ガスおよび放出内容物が収容されたエアゾールタイプの容器本体，
１ａは容器本体１の上側環状部分であって、下側から内向き上り傾斜態様に形成された環状肩部，
２は容器本体１に取り付けられたマウンティングカップ，
３は容器本体１とマウンティングカップ２との連結部分に形成される環凹状のアンダーカット，
４は周知のコイルスプリング(図示省略)の弾性作用により上方に付勢されて、内容物放出操作にともない周知のステムガスケット(図示省略)との間の開閉動作に基づくバルブ作用を呈するステム，
をそれぞれ示している。
【００２３】
また、
５はステム４の流出側端部に取り付けられてこれと連動する内容物放出操作用の押下げボタン，
５ａはステム４から続く縦方向通路部とその下流側の横方向通路部とからなるいわば逆Ｌ字状の内容物通路，
５ｂは内容物通路５ａの上流端部分であってステム４の上端部分と嵌合する上側段部付き筒状部，
５ｃは内容物通路５ａの下流端部分に形成された放出孔部，
５ｄは図１，図２のロックモードのときに後述の可動アーム状部６ｇの自由端側上面部分と対向して押下げボタン５の下方への移動を阻止する、すなわち内容物放出操作を阻止するボタン下端部分，
をそれぞれ示している。
【００２４】
また、
６は容器本体１の環状肩部１ａの下端側斜面およびマウンティングカップ２の直立外周面に係合した固定態様で取り付けられて、内容物放出操作のときも取り外されることのない円筒状のカバー体，
６ａはカバー体６を構成し、後述の縦リブ状部６ｅが形成されていない円筒状の上小径筒状部，
６ｂはカバー体６を構成し、後述の縦リブ状部６ｅが形成されている円筒状の下大径筒状部，
６ｃは上小径筒状部６ａと下大径筒状部６ｂとの連結域に形成され、後述のモード選択環状部材７の環状下端面７ｈを受けて保持する環状段部，
６ｄは上小径筒状部６ａの外周面に形成されて後述のモード選択環状部材７の案内保持作用を呈する外向き上環凸状部，
６ｅは下大径筒状部６ｂの内周面に周方向離間の縦方向態様で複数形成されて、それぞれの下側内端面が下大径筒状部自体の下端面とともに環状肩部１ａに係合し、また上側内端面がマウンティングカップ２の直立外周面に係合する複数の、例えば５〜１５本の縦リブ状部，
６ｆは縦リブ状部６ｅの、上述の下側内端面と上側内端面との間に相当する部分、すなわちアンダーカット３に対向する部分であって、容器本体１への取付け後のカバー体６がいわば不用意に図示上方へ抜けるのを阻止するための膨出部，
６ｇは上小径筒状部６ａの内周面から内側に弧状に延びて、その自由端側上面が、図１，図２のロックモードのときステム４を囲んでボタン下端部分５ｄと対向した状態にシフトし、これにより押下げボタン５の下方への内容物放出操作を阻止する可動アーム状部，
６ｈは可動アーム状部６ｇの上小径筒状部６ａとの接続部分からなる可動基部，
６ｊは可動基部６ｈから上小径筒状部６ａの内側へ連続する円弧状部，
６ｋは円弧状部６ｊの先端部分（自由端部分）に形成されて、ロックモードのときにステム４の略横断面半分を囲む半円凹状部，
６ｍは半円凹状部６ｋの上端縁部分へと続く上面部分であって、ロックモードのときボタン下端部分５ｄと対向することにより利用者の押下げボタン１の内容物放出操作を阻止し、ロック解除状態ではボタン下端部分５ｄの外方に逃げるロック作動用の内端側上面，
６ｎは可動基部６ｈからみて、円弧状部６ｊにおける半円凹状部６ｋの手前側部分に形成され、図３のロック解除・静止モードのときに後述のロック解除駆動片部７ｅの前側部分、すなわちこの駆動片部の図３における短い縦幅側の部分が入り込む凹み状部，
をそれぞれ示している。
【００２５】
また、
７は押下げボタン５とカバー体６との間にステム回りの水平面態様で配設されて、ロックモードおよびロック解除・静止モードを個々に設定する円筒状のモード選択環状部材，
７ａはモード選択環状部材７の内周面上下方向の中間部分に形成されて、押下げボタン５の上下動を許容する中心開口部分を備えた環天板状部，
７ｂは環天板状部７ａに垂下状態で形成されて、静止モードのモード選択環状部材７に対するＲ方向への回動操作により、カバー体６の上小径筒状部６ａの内周面と可動アーム状部６ｇのいわば外周面との間に、先端幅狭部分から入り込んでいくロック駆動片部，
７ｃはロック駆動片部７ｂの内側平面であって、図３から図２へのロックモード移行のとき可動アーム状部６ｇの外周面に当接しながら図示Ｒ方向へ回動することにより、この可動アーム状部の半円凹状部６ｋをステム４へ近づくＢ方向に駆動する内側平面，
７ｄはロック駆動片部７ｂの外側曲面であって、その周方向全体が上小径筒状部６ａの内周面と等間隔の対向状態に設定された外側周方向曲面，
７ｅは環天板状部７ａのロック駆動片部７ｂとは反対側に垂下形成され、ロックモードのモード選択環状部材７に対するＲ′方向への回動操作により、可動アーム状部６ｇを、Ｃ方向に駆動してボタン下端部分５ｄの対向範囲の外に移動させるロック解除駆動片部，
７ｆはロック解除駆動片部７ｅの外側曲面であって、図２のロックモードから図３のロック解除・静止モードへの移行時に図示Ｒ′方向へ回動することにより、円弧状部６ｊに当接して可動アーム状部６ｇをステム４から離間する方に駆動する外側周方向曲面，
７ｇは環天板状部７ａより下側の環状部材内周面に形成されて、上小径筒状部６ａの外向き上環凸状部６ｄに案内保持される内向き下環凸状部，
７ｈはモード選択環状部材７の下端部分であって、カバー体６の環状段部６ｃに保持される環状下端面，
７ｊはモード選択環状部材７の外周面に形成されて、利用者に、内容物放出操作ロック機構がロックモードおよびその解除モードの何れに設定されているかを示すための凸状のモード指摘部，
をそれぞれ示している。
【００２６】
また、
Ｒは図３のロック解除・静止モードから図２のロックモードへ移行する際のモード選択環状部材７の回動操作方向（図２，図３の反時計方向），
Ｒ′は図２のロックモードを解除する際のモード選択環状部材７の回動操作方向（図２，図３の時計方向），
Ｂはロックモード移行操作時の可動アーム状部６ｇの移動方向（図２），
Ｃはロックモード解除操作時の可動アーム状部６ｇの移動方向（図３），
をそれぞれ示している。
【００２７】
ここで、容器本体１およびステム４は例えば金属製，プラスチック製のものである。マウンティングカップ２は例えば金属性のものである。
【００２８】
また、押下げボタン５，カバー体６およびモード選択環状部材７は例えばポリプロピレン，ポリエチレン，ポリアセタール，ナイロン，ポリブチレンテレフタレートなどからなるプラスチック製のものである。
【００２９】
カバー体６の外向き上環凸状部６ｄ，膨出部６ｆおよびモード選択環状部材７の内向き下環凸状部７ｇなどはプラスチック製の弾性変形可能部分である。
【００３０】
図１，図２のロックモード，図３のロック解除・静止モード、およびこれらモード間遷移中のいずれのときも、モード選択環状部材７（の下側部分），カバー体６および容器本体１の上下方向外周面の全体はいわゆる面一状態を保持している。
【００３１】
図示の内容物放出操作ロック機構の基本的特徴は、
(31)容器本体１に固定状態で取り付けられたカバー体６に対してモード選択環状部材７を回動操作するとき、このモード選択環状部材がカバー体の外側へはみ出すことなしに、
・可動アーム状部６ｇの内端側上面６ｍが、押下げボタン５のボタン下端部分５ｄと対向して、下方への内容物放出操作を阻止するロックモード（図１，図２）と、
・可動アーム状部６ｇの内端側上面６ｍが、押下げボタン５のボタン下端部分５ｄとの対向状態から外側に逃げて、下方への内容物放出操作を阻止できないロック解除・静止モード（図３）と、
に選択的に設定する、
(32)モード選択環状部材７の回動操作によっても、それとその下側のカバー体６との全体外観、さらには容器本体１を含めた全体外観が略変化せずに、すなわち上下方向全体に面一でシンプルな連続円筒形状を維持する、
ことなどである。
【００３２】
このように、図示の内容物放出操作ロック機構は、図１，図２のロックモードと図３のロック解除・静止モードとを切り替える際に必要なモード選択環状部材７の移動ストロークが、この環状部材を保持するカバー体６の内部周方向の長さでまかなわれている。
【００３３】
モード選択環状部材７は、あくまでカバー体６の平面視形状の外輪郭範囲内において回動するのみであり、この平面視形状からいわばはみ出るようなことは生じない。
【００３４】
厳密にいうと、モード指摘部７ｊはこの平面視形状からみて外側部分となるものの、それによって上記(32)の上下方向全体の面一感がそこなわれることはない。
【００３５】
図１，図２のロックモードは、図３のロック解除・静止モードのモード選択環状部材７をＲ方向（図示反時計方向）に略９０度回動操作することにより設定される。
【００３６】
このロックモードでは、
(41)モード選択環状部材７のロック駆動片部７ｂが、その先端幅狭部分から、上小径筒状部６ａの内周面と可動アーム状部６ｇの自由端側外周面との間に入り込み、内側平面７ｃで、可動アーム状部６ｇをその半円凹状部６ｋがステム４に近づくＢ方向に駆動し、
(42)この駆動後の可動アーム状部６ｇの内端側上面６ｍが、押下げボタン５のボタン下端部分５ｄと対向または当接し、
(43)モード選択環状部材７のモード指摘部７ｊが、図２に示すように可動基部６ｈの径方向横部分に位置している。
【００３７】
このロックモードにおいて、利用者が押下げボタン１を下方に押して内容物放出状態を設定しようとしても、そのボタン下端部分５ｄが可動アーム状部６ｇの内端側上面６ｍでブロックされ、ステム４が下動した内容物放出の作動モードに移行することはない。
【００３８】
図３のロック解除・静止モードは、図２のロックモードのモード選択環状部材７をＲ′方向（図示時計方向）に略９０度回動操作することにより設定される。
【００３９】
このロック解除・静止モードでは、
(51)モード選択環状部材７のロック駆動片部７ｂが、ロックモードの、上小径筒状部６ａの内周面と可動アーム状部６ｇの自由端側外周面との間からＲ′方向に逃げ
(52)モード選択環状部材７のロック解除駆動片部７ｅが、その先端幅狭部分から、円弧状部６ｊの可動基部側内周面に当接して凹み状部６ｎの方に移動し、
(53)ロック解除駆動片部７ｅの外側周方向曲面７ｆで、可動アーム状部６ｇを、その半円凹状部６ｋがステム４から離れるＣ方向に駆動し、
(54)モード選択環状部材７のモード指摘部７ｊが、図３に示すように、カバー体６に対し当然のことながら図２からＲ′方向へ約９０度回動した部分に位置している。
【００４０】
上記(53)の可動アーム状部６ｇのＣ方向への駆動により、その内端側上面６ｍと、押下げボタン５のボタン下端部分５ｄとのそれまでの対向，当接状態は解消される。すなわち、押下げボタン５の内容物放出操作の阻止作用が消失する。
【００４１】
これにより押下げボタン５の下方への内容物放出操作が可能となる。
この内容物放出操作にともない、ロック解除・静止モードの押下げボタン５およびこれと一体のステム４が周知のコイルスプリングの上方への弾性力に抗しながら下動して、ステム４を含む周知の弁機構がそれまでの閉状態から開状態へシフトする。
【００４２】
この弁機構の開状態へのシフトにより、容器本体１の放出対象内容物が「ステム４の内部通路域−逆Ｌ字状の内容物通路５ａ」を経て放出孔部５ｃから外部空間域に放出される。内容物放出動作の機構は周知である。
【００４３】
利用者が押下げボタン５の内容物放出操作（押下げ操作）をやめると、ステム４および押下げボタン５は周知のコイルスプリングの弾性力により上動して図３のロック解除・静止モードの状態に復帰する。
【００４４】
なお、カバー体６の、上記(43)，(54)のモード指摘部７ｊの略真下に相当する部分に、それぞれ「ロックモード」，「ロック解除・静止モード」を直接的，間接的に示す語，記号，図形，図案などを記す。
【００４５】
また、押下げボタン５は、図３のロック解除・静止モードにおけるモード指摘部７ｊが放出孔部５ｃの略真下となる形の周方向位置態様で、ステム４に配設されている。
【００４６】
本発明の内容物放出操作ロック機構が図示の実施形態に限定されるものでないことは勿論であり、例えば、
(61)可動アーム状部６ｇを、上小径筒状部６ａの内周面に対しロックモードのＢ方向へ弾性的に初期付勢される態様で形成して、モード選択環状部材７のロック駆動片部７ｂを省略する、
(62)可動アーム状部６ｇを、上小径筒状部６ａの内周面に対しロック解除・静止モードのＣ方向へ弾性的に初期付勢される態様で形成して、モード選択環状部材７のロック解除駆動片部７ｅを省略する、
(63)モード選択環状部材７の回動操作によりロックモードまたはロック解除・静止モードが設定される際のクリック感を利用者に与え、さらにはその回動位置を保持するための例えば凹凸状部を、カバー体６とモード選択環状部材７との当接部分などに形成する、
(64)押下げボタン５として押下げ回動タイプ（いわゆるスパウトタイプ）の放出操作ボタンを用いる、
(65)放出孔部５ｃとモード指摘部７ｊとの位置関係を、図３のロック解除・静止モードのときに、モード指摘部７ｊが、放出孔部５ｃの略真下からモード選択環状部材７の周方向へ離間した任意の部分に配設される形にする、
ようにしてもよい。
【００４７】
なお、ポンプ式製品の内容物放出操作ロック機構の場合には、カバー体６として、容器本体と螺合するネジキャップが用いられる。
【００４８】
本発明が適用されるエアゾール式製品，ポンプ式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００４９】
容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００５０】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５１】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５２】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００５３】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５４】
高分子化合物としては、メチルセルロース，ゼラチン，デンプン，カゼイン，ヒドロキシエチルセルロース，キサンタンガム，カルボキシビニルポリマーなどを用いる。
【００５５】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの害虫忌避剤、パラフェノールスルホン酸亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，過酸化水素水などの酸化剤、リン酸二水素アンモニウム，炭酸水素ナトリウム・カリウムなどの消火剤などを用いる。
【００５６】
さらに、上記内容物以外の、懸濁剤，紫外線吸収剤，乳化剤，保湿剤，酸化防止剤、金属イオン封鎖剤なども用いることができる。
【００５７】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００５８】
１：容器本体
１ａ：環状肩部
２：マウンティングカップ
３：アンダーカット
４：ステム
【００５９】
５：押下げボタン
５ａ：逆Ｌ字状の内容物通路
５ｂ：上側段部付き筒状部
５ｃ：放出孔部
５ｄ：ボタン下端部分
【００６０】
６：カバー体
６ａ：上小径筒状部
６ｂ：下大径筒状部
６ｃ：環状段部
６ｄ：外向き上環凸状部
６ｅ：縦リブ状部
６ｆ：膨出部
６ｇ：可動アーム状部
６ｈ：可動基部
６ｊ：円弧状部
６ｋ：半円凹状部
６ｍ：内端側上面
６ｎ：凹み状部
【００６１】
７：モード選択環状部材
７ａ：環天板状部
７ｂ：ロック駆動片部
７ｃ：内側平面
７ｄ：外側周方向曲面
７ｅ：ロック解除駆動片部
７ｆ：外側周方向曲面
７ｇ：内向き下環凸状部
７ｈ：環状下端面
７ｊ：モード指摘部
【００６２】
Ｒ：ロックモードへ移行する際のモード選択環状部材の回動操作方向
Ｒ′：ロックモードを解除する際のモード選択環状部材の回動操作方向
Ｂ：ロックモード移行操作時の可動アーム状部の移動方向
Ｃ：ロックモード解除操作時の可動アーム状部の移動方向
【図１】
0006552044.tif 000002
【図２】
0006552044.tif 000003
【図３】
0006552044.tif 000004